(57)【要約】      （修正有）【課題】店頭等で食品・日用品と区別ができ、売り場で目立つため販促効果が高い消費者に利便性をもたらすことができる医薬品包装体を提供する。【解決手段】少なくとも、背面パネル１１、前面パネル、前面パネル１２、天面パネル１３、底面パネル１９からなる一枚のブランクから組み立てられる三角柱形状のカートンに分包、ＰＴＰ包装等の医薬品３を収納したことを特徴とする医薬品包装体であり、また、背面パネルの上方に吊り下げパネルを延設し、吊り下げパネルに吊り下げ孔を設けて店頭等において吊り下げて陳列することもできる。【選択図】図１
2008260551.tif 000002
【特許請求の範囲】
【請求項１】
少なくとも、背面パネル、前面パネル、前面パネル、天面パネル、底面パネルからなる一枚のブランクから組み立てられる三角柱形状のカートンに分包、ＰＴＰ包装等の医薬品を収納したことを特徴とする医薬品包装体。
【請求項２】
前記背面パネルの上方に吊り下げパネルを延設し、該吊り下げパネルに吊り下げ孔を設けて店頭等において吊り下げて陳列することを可能としたことを特徴とする請求項１に記載する医薬品包装体。
【発明の詳細な説明】
【技術分野】
【０００１】
本発明は医薬品を収納したカートンであり、さらに詳しくは、食品、日用品等の他の商品との峻別が容易にでき、情報を多く記載できる形状の医薬品包装体に関するものである。
【背景技術】
【０００２】
従来より、医薬品はその内容物の危険性から食品・日用品とは明確に区分されて販売される必要があるが、ＰＴＰ、分包などを入れるカートンは直方体のものが主流であった。
【０００３】
また、コンビニエンスストア等の一般小売店では医薬部外品のみが販売可能であったのが、改正薬事法の２００６年度改正（医薬品販売制度の改正）により、医薬品の販売が解禁されることになり、風邪薬、解熱鎮痛剤等の販売が一般小売店でも始まることが予想されている。従って、店頭等で医薬品を他の商品と容易に区別する必要があると共に、医薬品には消費者にその効能や危険性などの情報が十分に提供されることが求められており、能書のほかパッケージ表面への記載が特に重要となっている。三角柱形状のカートンも提示されているが（特許文献１を参照）、防湿性を持たせたカートンであり、医薬品用カートンとは異なっている。
【０００４】
【特許文献１】特開２０００−１５９２１９号公報
【発明の開示】
【発明が解決しようとする課題】
【０００５】
しかしながら、従来の直方体のカートンでは、輸送効率や陳列効率はよいものの、情報提供用のスペースを十分に確保することが難しかった。また、従来の直方体のカートンでは、食品・日用品を収納した容器と代わり映えがせず、デザインによっては食品と勘違いして間違える可能性もあるという問題があった。
【０００６】
本発明は、このような問題点を解決するためになされたもので、店頭等で食品・日用品と区別ができ、売り場で目立つため販促効果が高い消費者に利便性をもたらすことができる医薬品包装体を提供することを目的とするものである。
【課題を解決するための手段】
【０００７】
本発明は、このような課題を解決するためになされたもので、請求項１記載の発明は、少なくとも、背面パネル、前面パネル、前面パネル、天面パネル、底面パネルからなる一枚のブランクから組み立てられる三角柱形状のカートンに分包、ＰＴＰ包装等の医薬品を収納したことを特徴とする医薬品包装体である。
【０００８】
また、請求項２記載の発明は、請求項１の発明において、背面パネルの上方に吊り下げパネルを延設し、該吊り下げパネルに吊り下げ孔を設けて店頭等において吊り下げて陳列することを可能としたことを特徴とする医薬品包装体である。
【発明の効果】
【０００９】
上述のように、本発明は、底面を三角形とした三角柱の包装形態にすることで、食品・日用品等の医薬品以外の商品を収納したカートンと明確に区別でき、また３つの側面を利用することで情報提供のスペースを明確にすることが可能となった。すなわち、１．食品・日用品と区別ができ、売り場で目立つため販促効果が高い。２．情報スペースが増加するため、効能や特徴などを記載量が増え、消費者により多くの安全に関する情報を提供できるだけでなく、販売促進にも利用でき、消費者に利便性をもたらすことができる、という効果がある。
【発明を実施するための最良の形態】
【００１０】
以下、本発明の実施形態について図面に従って説明する。
【００１１】
本発明の医薬品包装体１は、図１に示すように、背面パネル１１、前面パネル１２、前面パネル１３、天面パネル１６、底面パネル１９からなる三角柱形状のカートン本体２に医薬品３を収納した形状であり、一般的に広く使用されている四角柱形状と異なり、目立ちやすい形状であることを特徴とするものである。三角柱形状の断面の形状は、正三角形、二等辺三角形とすることが好ましい。
【００１２】
内容物である医薬品３は、小袋に収納された分包、あるいはＰＴＰ包装された形状等のものである。また、医薬品３と共に、成分、効能等が記載された能書４も収納することができる。さらに、カートン本体２の一部に、窓部Ｍを設けて内容物である医薬品３を外側から視認できる形状にすることもできる。
【００１３】
いずれの形態においても、店頭等において、食品・日用品等の医薬品以外の商品を収納したカートンと明確に区別できる形状となっている。
【００１４】
（実施形態１）
図２は、本発明による医薬品包装体の一実施形態の斜視図である。本発明による医薬品包装体１Ａは、図２に示すように、正三角柱形状のカートン本体２Ａに医薬品３を収納している形態である。カートン本体２Ａの天部Ｔ、底部Ｓは密封されており、前面パネル１２、１３には内容物の医薬品３の説明、成分等が記載されている。また、前面パネル１２、１３の上部には、カートンを開封するためのジッパーＺを横方向に設けている。
【００１５】
つぎに、図３は、カートン本体２Ａを組み立てる前のブランクの展開図である。ブランク１０Ａは、背面パネル１１、前面パネル１２、前面パネル１３そして糊代片１４を折れ線ａ、ｂ、ｃを介して連設している。天部Ｔを形成するために、前面パネル１２の上辺には、折れ線ｄを介して正三角形の天下パネル１５を、前面パネル１３の上辺には、折れ線ｅを介して正三角形の天面パネル１６を連設し、天面パネル１６の一辺には差し込み片１７を連設している。また、底部Ｓを形成するために、前面パネル１２の下辺には、折れ線ｇを介して正三角形の底下パネル１８を、前面パネル１３の下辺には、折れ線ｈを介して正三角形の底面パネル１９を連設し、底面パネル１９の一辺には差し込み片２０を連設している。また、前面パネル１１、１２の上部には、カートンを開封するためのジッパーＺとして、Ｌ字形状の切れ刃を連続的に設けている。
【００１６】
本発明による医薬品包装体１Ａの製造方法について説明する。まず、カートン本体２Ａを組み立てるが、ブランク１０Ａから折れ線ａ、ｂ、ｃを順次折り曲げて糊代片１４と背面パネル１１とを貼り合わせて三角柱状に組み立てる。つぎに、折れ線ｇで底下パネル１８を内側に折り曲げ、そして、折れ線ｈで底面パネル１９を内側に折り曲げ、差し込み片２０を折れ線ｉで折り曲げて背面パネル１１の裏面側に差し込んで底部を形成する。この状態で、上側から内容物である分包あるいはＰＴＰ包装された医薬品３を充填する。その時、能書４等を一緒に充填してもよい。つぎに、折れ線ｄで天下パネル１５を内側に折り曲げ、そして、折れ線ｅで天面パネル１６を内側に折り曲げ、差し込み片１７を折れ線ｆで折り曲げて背面パネル１１の裏面側に差し込んで天部を形成する。この差し込み片１７と背面パネル１１の上縁で貼り合わせてもよい。このようにして、本発明の医薬品包装体１Ａが製造される。
【００１７】
（実施形態２）
図４は、本発明による医薬品包装体の他の実施形態の斜視図である。本発明による医薬品包装体１Ｂは、図４に示すように、三角形状のカートン本体２Ｂに医薬品３を収納している形態であるが、医薬品包装体１Ａと異なり、店頭等において、吊り下げて陳列することが可能なように、吊り下げ部Ｐを設け、その吊り下げ部Ｐに吊り下げ孔ｐを設けて、店頭等において、吊り下げて陳列することができる形状としている。カートン本体２Ｂの天部Ｔ、底部Ｓは密封されており、前面１２、１３には内容物の医薬品３の説明、成分等が記載されている。
【００１８】
つぎに、図５はカートン本体２Ｂを組み立てる前のブランクの展開図である。ブランク１０Ｂは、医薬品包装体１Ａのブランク１０Ａと同様に、背面パネル１１、前面パネル１２、前面パネル１３そして糊代片１４を折れ線ａ、ｂ、ｃを介して連設している。天部Ｔを形成するために、前面パネル１２の上辺には、折れ線ｄを介して正三角形の天下パネル１５を、前面パネル１３の上辺には、折れ線ｅを介して正三角形の天面パネル１６を連設し、天面パネル１６の一辺には差し込み片１７を連設している。また、底部を形成するために、前面パネル１２の下辺には、折れ線ｇを介して正三角形の底下パネル１８を、前面パネル１３の下辺には、折れ線ｈを介して正三角形の底面パネル１９を連設し、底面パネル１９の一辺には差し込み片２０を連設している。また、医薬品包装体１Ａと異なり、背面パネル１１を上方に伸ばして吊り下げパネル１１ａとしており、さらに、吊り下げパネル１１ａの上辺に折れ線ｊを介して折り返しパネル２１を延設している。
【００１９】
本発明による医薬品包装体１Ｂの製造方法は、医薬品包装体１Ａと同様に、まず、カートン本体１の組み立てるが、折れ線ａ、ｂ、ｃを順次折り曲げて糊代片１４と背面パネル１１とを貼り合わせて三角柱状に組み立てる。つぎに、折れ線ｇで底下パネル１８を内側に折り曲げ、そして、折れ線ｈで底面パネル１９を内側に折り曲げ、差し込み片２０を折れ線ｉで折り曲げて背面パネル１１の裏面側に差し込んで底部Ｓを形成する。この状態で、上側から内容物である分包あるいはＰＴＰ包装された医薬品３を充填する。その時、能書４等を一緒に充填してもよい。つぎに、吊り下げパネル１１ａに連設した折り返しパネル２１を内側に折り返して上縁部をカートンの中に差し込んで吊り下げ部Ｐを形成する。ついで、折れ線ｄで天下パネル１５を内側に折り曲げ、そして、折れ線ｅで天面パネル１６を内側に折り曲げ、差し込み片１７を折れ線ｆで折り曲げて背面パネル１１の裏面側に差し込んで天部Ｔを形成する。このようにして、本発明の医薬品包装体１Ｂが製造される。
【００２０】
本発明による医薬品包装体１のカートン本体２に使用する素材は、板紙が主に使用される。板紙は、コートボール、マニラ、高級板紙等であり、斤量としては、２００〜５００ｇ／ｍ2の範囲が好ましい。板紙以外にも、プラスチックシートを使用することができる。これらの材料の表面に印刷を施すが、オフセット印刷、グラビア印刷等の公知のいかなる方法によってもよい。
【産業上の利用可能性】
【００２１】
コンビニエンスストア等の一般小売店では医薬品は販売ができなかったが、改正薬事法の２００６年度改正（医薬品販売制度の改正）により、医薬品の販売が解禁されることになり、風邪薬、解熱鎮痛剤等の販売が一般小売店でも始まることが予想され、特に、コンビニエンスストアで販売される可能性があり、店頭等で販売する医薬品の包装体として広く利用される可能性がある。
【図面の簡単な説明】
【００２２】
【図１】本発明による医薬品包装体の一実施形態を示す斜視図である。
【図２】本発明による医薬品包装体の他の実施形態を示す斜視図である。
【図３】図２の医薬品包装体のカートン本体のブランクの展開図である。
【図４】本発明による医薬品包装体の他の実施形態を示す斜視図である。
【図５】図４の医薬品包装体のカートン本体のブランクの展開図である。
【符号の説明】
【００２３】
１    医薬品包装体
１Ａ    医薬品包装体
１Ｂ    医薬品包装体
２    カートン本体
２Ａ  カートン本体（医薬品包装体１Ａの）
２Ｂ  カートン本体（医薬品包装体１Ｂの）
３    医薬品
４    能書
１０Ａ  ブランク（医薬品包装体１Ａのカートン本体２Ａの）
１０Ｂ  ブランク（医薬品包装体１Ｂのカートン本体２Ｂの）
１１    背面パネル
１１ａ  吊り下げパネル
１２    前面パネル
１３    前面パネル
１４    糊代片
１５    天下パネル
１６    天面パネル
１７    天差し込み片
１８    底下パネル
１９    底面パネル
２０    底差し込み片
２１    折り返しパネル
Ｐ    吊り下げ部
ｐ    吊り下げ孔
Ｍ    窓部
Ｚ    ジッパー
Ｔ    天部
Ｓ    底部
ａ〜ｊ  折れ線
【図１】
2008260551.tif 000003
【図２】
2008260551.tif 000004
【図３】
2008260551.tif 000005
【図４】
2008260551.tif 000006
【図５】
2008260551.tif 000007